(57)【要約】【課題】本考案は、音量調整部を介して出力ラインから出力信号を出力することにより、音割れ等を防止し、高品質の音を再生することを目的とする。【解決手段】本考案によるポータブルデジタルプレイヤーの出力調整装置は、デジタルプレイヤー部(1)にラインコネクタ(7)及び出力ライン(6)を介して出力信号を出力する場合、ラインコネクタ(7)又は出力ライン(6)に設けた音量調整部(10)により音量レベルを調整可能とした構成である。【選択図】図１
0003119225.tif 000002
【実用新案登録請求の範囲】
【請求項１】
デジタルプレイヤー部(1)のラインアウト端子(5)に出力ライン(6)を有するラインコネクタ(7)を接続し、前記デジタルプレイヤー部(1)のメモリ内の音楽データを前記ラインコネクタ(7)及び出力ライン(6)を経て外部に取出すようにしたポータブルデジタルプレイヤーにおいて、
前記音楽データを外部に取出す時に、音量調整部(10)を経て外部に出力されるように構成したことを特徴とするポータブルデジタルプレイヤーの出力調整装置。
【請求項２】
前記音量調整部(10)は、前記ラインコネクタ(7)に設けられていることを特徴とする請求項１記載のポータブルデジタルプレイヤーの出力調整装置。
【請求項３】
前記音量調整部(10)は、前記出力ライン(6)に設けられていることを特徴とする請求項１記載のポータブルデジタルプレイヤーの出力調整装置。
【考案の詳細な説明】
【技術分野】
【０００１】
本考案は、ポータブルデジタルプレイヤーの出力調整装置に関し、特に、ｉＰｏＤ等のデジタルプレイヤー部の音楽データを外部に取出す時に、音量調整部を経て取出すことにより、出力レベルを下げ、音割れをなくして、常にクリアーな音質で出力することを可能とし、後段のコンポ等の音響装置による音の増幅を円滑化するための新規な改良に関する。
尚、本考案におけるポータブルデジタルプレイヤーは音楽携帯を含むものである。
【背景技術】
【０００２】
従来、用いられていたこの種のポータブルデジタルプレイヤーとしては、特許文献等を開示していないが、代表的なものとして、ｉＰｏＤ等を挙げることができる。
前述のポータブルデジタルプレイヤーを用いて再生音楽を楽しむ方法としては、図３のように、全体形状が箱形をなすデジタルプレイヤー部１の表示部２の近傍位置に設けられたヘッドホン端子３にヘッドホン４を接続して再生音楽を聞く方法以外の方法としては、図示していないが、このヘッドホン端子３に出力ライン（プラグ）を接続し、トランスミッター、カセットアダプターを使用して高音質な音楽を楽しむ方法もある。
【０００３】
また、前述の方法とは別の方法としては、図４に示されるように、デジタルプレイヤー部１のラインアウト端子５に出力ライン６のラインコネクタ７を接続し、この出力ライン６を図示しない車又は家庭のコンポに接続（直接接続する場合とトランスミッター・カセットアダプター等の機器を使用して接続する場合がある）することによって高音質で音楽を楽しむことができる。
【考案の開示】
【考案が解決しようとする課題】
【０００４】
従来のポータブルデジタルプレイヤーは、以上のように構成されていたため、次のような課題が存在していた。
すなわち、前述のポータブルデジタルプレイヤー等の携帯型等の再生機器の音声の出力レベルは、ラインアウトから出力する場合、何らかの出力レベル調整手段がないために、この再生機器に取込む際のｗｅｂからのダウンロード時、ＣＤ・ＤＶＤ等の機器からの音声レベルが直接入力されるために、これらの音声レベルの違いによって、出力する際の出力レベルも異なり、その出力レベルがそのまま車又は家庭用のコンポに入力されると、歪みが大きくなり、音割れ状態となり、聞くに耐えられない音となることが発生していた。
【課題を解決するための手段】
【０００５】
本考案によるポータブルデジタルプレイヤーの出力調整装置は、デジタルプレイヤー部のラインアウト端子に出力ラインを有するラインコネクタを接続し、前記デジタルプレイヤー部のメモリ内の音楽データを前記ラインコネクタ及び出力ラインを経て外部に取出すようにしたポータブルデジタルプレイヤーにおいて、前記音楽データを外部に取出す時に、音量調整部を経て外部に出力されるようにした構成であり、また、前記音量調整部は、前記ラインコネクタに設けられている構成であり、また、前記音量調整部は、前記出力ラインに設けられている構成である。
【考案の効果】
【０００６】
本考案によるポータブルデジタルプレイヤーの出力調整装置は、以上のように構成されているため、次のような効果を得ることができる。
すなわち、ラインコネクタ、出力ラインに、音量調整部が設けられているため、ラインアウト端子からの音量レベルを自在に調整することができ、トランスミッター、カセットアダプター、ＡＤケーブル等を用いて車及び家庭のコンポ等で高音質の音楽等を楽しむことができる。
また、ヘッドフォンを出力ラインに接続することにより、前述と同様に高音質の再生音を楽しむことができる。
また、ラインアウト端子に接続した出力ラインに、トランスミッターを接続した場合は、このトランスミッターの電源部の電源を出力ラインとラインアウト端子を用いてデジタルプレイヤー部に供給して内部バッテリーに充電することができ、デジタルプレイヤー部の電源を心配することなく音楽再生を行うことができる。
【考案を実施するための最良の形態】
【０００７】
本考案は、ｉＰｏＤ等のデジタルプレイヤー部の音楽データを外部に取出す時に、音量調整部を経て取出すことにより、出力レベル調整ができ、音割れをなくして、常にクリアーな音質で出力することを可能とし、後段のコンポ等の音響装置による音の増幅を円滑化するようにしたポータブルデジタルプレイヤーの出力調整装置を提供することを目的とする。
【実施例】
【０００８】
以下、図面と共に本考案によるポータブルデジタルプレイヤーの出力調整装置の好適な実施の形態について説明する。
尚、従来例と同一又は同等部分については、同一符号を用いて説明する。また、図１及び図２においてデジタルプレイヤー部１は、図３及び図４で示した構成を援用しているため、その図示を簡略化している。
【０００９】
図１において符号１で示されるものは周知のｉＰｏＤ(ｉＰｏＤ以外も可)等のデジタルプレイヤー部であり、このデジタルプレイヤー部１のラインアウト端子５には、出力ライン６に設けられたラインコネクタ７が着脱自在に接続されている。
【００１０】
前記ラインコネクタ７には、可変抵抗器等からなる音量調整部１０が設けられており、この音量調整部１０は、具体的な配線図は示していないが、ノブ１０ａを左右に回すことにより、デジタルプレイヤー部１のメモリー(ハードディスク等の記憶装置)から読み出されて出力された出力信号(音楽コンテンツ)は、この音量調整部１０で自在なレベルに調整されて出力ライン６を介し車又は室内用のコンポ等に送られ、音割れ等のない高音質の音楽再生を行うことができる。
【００１１】
また、図２に示す他の形態においては、前記音量調整部１０をラインコネクタ７に設けるのではなく、出力ライン６の途中位置に設け、ノブ１０ｂを左右に移動あるいは回転させることにより、出力信号のレベルを自在に可変とすることができる。
【００１２】
尚、図１及び図２の何れの場合も、出力ライン６を、図示しないトランスミッター等の電源を有する機器に接続した場合、これらの電源が出力ライン６及びラインコネクタ７を介してデジタルプレイヤー部１のバッテリー(図示せず)に供給して充電することができ、その場合は、ポータブルデジタルプレイヤー部１のバッテリーの状態を気にすることなく、長時間にわたり使用することができる。
【産業上の利用可能性】
【００１３】
本考案は、音楽用のコンテンツの出力用だけではなく、パソコンやモバイルに記憶されたビデオとオーディオのコンテンツの場合のオーディオの音量制御にも適用可能である。
【図面の簡単な説明】
【００１４】
【図１】本考案によるポータブルデジタルプレイヤーの出力調整装置を示す構成図である。
【図２】図１の他の形態を示す構成図である。
【図３】従来のポータブルデジタルプレイヤーを示す構成図である。
【図４】図３の他の従来形態を示す構成図である。
【符号の説明】
【００１５】
１    デジタルプレイヤー部
５    ラインアウト端子
６    出力ライン
７    ラインコネクタ
１０    音量調整部
【図１】
0003119225.tif 000003
【図２】
0003119225.tif 000004
【図３】
0003119225.tif 000005
【図４】
0003119225.tif 000006